(57)【特許請求の範囲】
【請求項１】
シートに画像を形成する画像形成機能と、電話回線を介して外部機器と情報の送受信を行なう通信機能とを含む複数の機能を備える複合機であって、
前記複数の機能を実現するための各種の内部機器と、
交流電源から電圧が供給される一次側と、前記内部機器の少なくとも一部に対し、前記交流電源からの電圧よりも低い電圧を供給する二次側と、前記交流電源からの電圧を前記低い電圧に変換するためのトランスとを有する低圧電源部と、
前記電話回線を介して前記外部機器に接続される電話回線側と、前記低圧電源部の二次側から前記低い電圧が供給されるとともに、前記内部機器の少なくとも一部に接続される本体側と、前記電話回線を通じて前記外部機器と情報の送受信を行うためのトランスとを有して前記通信機能を実現する通信回路部とを備え、
前記低圧電源部と前記通信回路部とは一つの統合基板上に設けられ、
前記統合基板は、少なくとも耐火性を有する一つのエンクロージャ内に収容されていることを特徴とする複合機。
【請求項２】
前記低圧電源部の二次側と前記通信回路部の本体側とは、前記統合基板上で隣接している請求項１記載の複合機。
【請求項３】
前記低圧電源部の一次側における前記交流電源との接続部は、前記統合基板の一端側に配設され、
前記通信回路部の電話回線側における前記外部機器との接続部は、前記統合基板の他端側に配設されている請求項１又は２記載の複合機。
【請求項４】
筐体と、
前記筐体内に設けられ、静電潜像が形成される像担持体を有して前記画像形成機能を実現する電子写真方式の画像形成部と、
前記低圧電源部の二次側から電圧が供給される一次側と、前記像担持体を含む前記画像形成部に対し、前記交流電源からの電圧よりも高い電圧を供給する二次側とを有し、前記筐体内に設けられる高圧電源部と、
前記筐体内に設けられ、前記低圧電源部の二次側から電圧が供給されて、少なくとも前記画像形成機能及び前記通信機能を制御する制御基板とを備え、
前記統合基板は、前記筐体の底面側に配設され、
前記高圧電源部と前記制御基板とは、前記高圧電源部が前記低圧電源部の一次側と近接し、かつ前記制御基板が前記低圧電源部の二次側と近接するように、前記筐体の互いに対向する側壁にそれぞれ配設されている請求項１乃至３のいずれか１項記載の複合機。
【発明の詳細な説明】
【技術分野】
【０００１】
本発明は複合機に関するものである。
【背景技術】
【０００２】
特許文献１に従来の複合機の例が開示されている。この複合機は、シートに画像を形成する画像形成機能と、電話回線を介して外部機器と情報の送受信を行なう通信機能とを含む複数の機能を備えるものである。
【０００３】
この複合機は、複数の機能を実現するための各種の内部機器と、低圧電源部と、通信回路部とを備えている。低圧電源部は、交流電源から電圧が供給される一次側と、内部機器の少なくとも一部に対し、交流電源からの電圧よりも低い電圧を供給する二次側とを有する。また、通信回路部は、電話回線を介して外部機器に接続される電話回線側と、低圧電源部の二次側から低い電圧が供給されるとともに、内部機器の少なくとも一部に接続される本体側とを有して通信機能を実現するものである。
【０００４】
低圧電源部は電源基板上に設けられ、通信回路部はＮＣＵ基板上に設けられている。そして、電源基板が複合機内の底面側に配設され、ＮＣＵ基板が複合機内の背面側に配設されることにより、電源基板とＮＣＵ基板とが離れている。
【先行技術文献】
【特許文献】
【０００５】
【特許文献１】特開平１１−１４６１００号公報
【発明の概要】
【発明が解決しようとする課題】
【０００６】
ところで、複合機では、電源基板上の低圧電源部やＮＣＵ基板上の通信回路部が稀に発火した場合であっても装置全体に悪影響が及ぶことを防止するため、電源基板やＮＣＵ基板を少なくとも耐火性を有するエンクロージャ内に収容するのが一般的である。
【０００７】
しかしながら、上記従来の複合機では、電源基板とＮＣＵ基板とが離れているため、電源基板を収容するエンクロージャと、ＮＣＵ基板を収容するエンクロージャとを別々に設ける必要がある。その結果、上記従来の複合機では、エンクロージャの数や、電源基板とＮＣＵ基板とを接続するワイヤハーネス等の部品点数が増加し易くなり、製品コストの低廉化が難しいという問題がある。
【０００８】
また、この複合機は、別々のエンクロージャを設置するためのスペースや、電源基板とＮＣＵ基板とを接続するワイヤハーネス等を設置するためのスペースが必要となるため、装置全体の小型化も難しい。
【０００９】
本発明は、上記従来の実情に鑑みてなされたものであって、製品コストの低廉化及び小型化を実現できる複合機を提供することを目的とする。
【課題を解決するための手段】
【００１０】
本発明の複合機は、シートに画像を形成する画像形成機能と、電話回線を介して外部機器と情報の送受信を行なう通信機能とを含む複数の機能を備える複合機であって、
前記複数の機能を実現するための各種の内部機器と、
交流電源から電圧が供給される一次側と、前記内部機器の少なくとも一部に対し、前記交流電源からの電圧よりも低い電圧を供給する二次側と、前記交流電源からの電圧を前記低い電圧に変換するためのトランスとを有する低圧電源部と、
前記電話回線を介して前記外部機器に接続される電話回線側と、前記低圧電源部の二次側から前記低い電圧が供給されるとともに、前記内部機器の少なくとも一部に接続される本体側と、前記電話回線を通じて前記外部機器と情報の送受信を行うためのトランスとを有して前記通信機能を実現する通信回路部とを備え、
前記低圧電源部と前記通信回路部とは一つの統合基板上に設けられ、
前記統合基板は、少なくとも耐火性を有する一つのエンクロージャ内に収容されていることを特徴とする。
【００１１】
本発明の複合機によれば、低圧電源部と通信回路部とが一つの統合基板上に形成されることで、低圧電源部から通信回路部に給電し易くなる。その結果、従来必要であった、電源基板と通信基板といった別々の専用基板を接続するためのワイヤハーネス等の部品を削減できる。
【００１２】
また、低圧電源部と通信回路部とが別々の専用基板に形成されて各専用基板が別々のエンクロージャに収容される場合と比較して、エンクロージャの数を削減でき、製品コストの低廉化を実現できる。
【００１３】
さらに、別々の専用基板を採用する場合と比較して、統合基板を採用する方が設置スペースを小さくでき、また、別々の専用基板を接続するためのワイヤハーネスも不要となって、そのワイヤハーネスのための設置スペースを確保しなくてもよい。その結果、この複合機は、装置全体の小型化を実現できる。
【００１４】
したがって、本発明の複合機によれば、製品コストの低廉化及び小型化を実現できる。
【００１５】
また、本発明の複合機においては、低圧電源部の二次側と通信回路部の本体側とは、統合基板上で隣接していることが望ましい。この構成によれば、統合基板上で低圧電源部の二次側と通信回路部の本体側とを接続する電気配線の長さを短くできるので、統合基板を小型化し易い。
【００１６】
また、本発明の複合機においては、低圧電源部の一次側における交流電源との接続部は、統合基板の一端側に配設され、通信回路部の電話回線側における外部機器との接続部は、統合基板の他端側に配設されていることが望ましい。この構成によれば、通信回路部の電話回線側における外部機器との接続部に対して、低圧電源部の一次側における交流電源との接続部を遠ざけることができる。その結果、交流電源から低圧電源部の一次側に供給される電圧によって、通信回路部でノイズが発生することを抑制できる。
【００１７】
さらに、本発明の複合機は、筐体と、筐体内に設けられ、静電潜像が形成される像担持体を有して画像形成機能を実現する電子写真方式の画像形成部とを備えることが望ましい。また、この複合機は、低圧電源部の二次側から電圧が供給される一次側と、像担持体を含む画像形成部に対し、交流電源からの電圧よりも高い電圧を供給する二次側とを有し、筐体内に設けられる高圧電源部と、筐体内に設けられ、低圧電源部の二次側から電圧が供給されて、少なくとも画像形成機能及び通信機能を制御する制御基板とを備えることが望ましい。そして、統合基板は、筐体の底面側に配設され、高圧電源部と制御基板とは、高圧電源部が低圧電源部の一次側と近接し、かつ制御基板が低圧電源部の二次側と近接するように、筐体の互いに対向する側壁にそれぞれ配設されていることが望ましい。
【００１８】
この構成によれば、制御基板と、低圧電源部の二次側とを接続するワイヤハーネスを短くでき、そのワイヤハーネスの取り回しも簡素化できる。また、低圧電源部の二次側に対して、高圧電源部を遠ざけることができるので、高圧電源部からのノイズの影響を受け難くすることができ、低圧電源部の二次側でノイズが発生することを抑制できる。さらに、統合基板が筐体の底面側に配設され、高圧電源部と制御基板とが筐体の互いに対向する側壁にそれぞれ配設されるレイアウトにより、筐体の中央に画像形成部等の設置スペースを確保し易くなる。
【図面の簡単な説明】
【００１９】
【図１】実施例１の複合機の概略断面図である。
【図２】実施例１の複合機に係り、統合基板、高圧電源部及び制御基板並びにそれらをそれぞれ収容する複数のエンクロージャの相対位置関係を説明する背面図である。
【図３】実施例１の複合機に係り、図２のＡ−Ａ断面において、統合基板、高圧電源部及び制御基板並びにそれらをそれぞれ収容する複数のエンクロージャを抜き出して示して、それらの相対位置関係を説明する断面図である。
【図４】実施例１の複合機に係り、画像形成部、画像読取部、統合基板、高圧電源部及び制御基板等の電気的接続を説明する概略ブロック図である。
【図５】実施例２の複合機に係り、画像形成部、画像読取部、統合基板、高圧電源部及び制御基板等の電気的接続を説明する概略ブロック図である。
【発明を実施するための形態】
【００２０】
以下、本発明を具体化した実施例１、２を図面を参照しつつ説明する。
【００２１】
（実施例１）
図１に示すように、実施例の複合機１は、一般的にマルチ・ファンクショナル・プリンタと呼ばれるものであり、画像形成機能、通信機能及び画像読取機能等の複数の機能を備える。図１では、複合機１の操作部５０側（図１の紙面右側）を装置の前側と規定し、操作部５０に向かって左（図１の紙面手前側）を左側と規定して、前後、左右及び上下の各方向を表示する。そして、図２以降に示す各方向は、全て図１に示す各方向に対応させて表示する。以下、図１等に基づいて、複合機１の具体的構成を説明する。
【００２２】
＜複合機の全体構成＞
図１に示すように、複合機１は、本体ハウジング６１と、本体ハウジング６１の上側に設けられた開閉ハウジング６２とを備える。本体ハウジング６１は、本発明の筐体の一例である。
【００２３】
また、複合機１は、本体ハウジング６１内に収容され、用紙やＯＨＰシート等であるシート９に画像を形成する画像形成部１０と、本体ハウジング６１内の上方に収容され、原稿の画像を読み取る画像読取部２０とを備える。
【００２４】
さらに、複合機１は、排出空間３０と、取り出し口３１と、操作部５０とを備える。排出空間３０は、本体ハウジング６１内における画像形成部１０と画像読取部２０との間に設けられている。排出空間３０には、画像が形成されたシート９が排出される。取り出し口３１は、本体ハウジング６１の前面に開口し、排出空間３０と本体ハウジング６１の外部とを連通させている。取り出し口３１は、排出空間３０に排出されたシート９をユーザが取り出し可能とする。操作部５０は、取り出し口３１の上方に設けられている。操作部５０は、入力キーにより、ユーザから画像形成部１０又は画像読取部２０に対する入力操作を受けたり、表示部により、画像形成部１０又は画像読取部２０に関する設定情報や稼働状況を表示する周知の構成を有する。
【００２５】
開閉ハウジング６２は、本体ハウジング６１の背面側上部に設けられた左右方向を向く揺動軸Ｘ１に揺動可能に支持されている。開閉ハウジング６２は、通常は水平状態となって閉じている。この場合、開閉ハウジング６２は、本体ハウジング６１の上面に設けられた載置面２１Ａを覆う。そして、開閉ハウジング６２は、その前端側が持ち上げられて、図１に二点鎖線で示す傾斜状態となることにより、本体ハウジング６１の載置面２１Ａを開放する。その結果、画像を読み取られる原稿を載置面２１Ａに載置することができる。
【００２６】
なお、開閉ハウジング６２内には、後述する読取部２２に向けて原稿を自動的に搬送する自動原稿搬送機構（ＡＤＦ：Auto Document Feeder）４０が収容されている。自動原稿搬送機構４０は周知の構成を有するものであるので説明は省略する。
【００２７】
＜画像形成部＞
画像形成部１０は、シート９を収容する供給カセット１１と、供給カセット１１内のシート９を一枚ずつ取り出して搬送経路Ｐ１に沿って搬送し、排出空間３０に排出する搬送機構１２と、供給カセット１１の上方、且つ排出空間３０の下方に設けられた画像形成部本体１３とを有する。
【００２８】
画像形成部本体１３は、カラー印刷が可能な、いわゆるダイレクトタンデム方式のものであり、現像トナーカートリッジ１５、スキャナ部１４及び定着器ユニット１６等を有する。現像トナーカートリッジ１５は、ブラック、イエロー、マゼンダ、シアンの４色のトナーに対応し、搬送経路Ｐ１の略水平部分に沿って直列する４つのカートリッジの集合体である。現像トナーカートリッジ１５は、各色のトナーにそれぞれ対応する４個の感光ドラム１５Ａや、図示しない現像ローラ、帯電器及びトナー収容部等を有する。スキャナ部１４は、レーザ光源、ポリゴンミラー、ｆθレンズ及び反射鏡等から構成されており、上方からレーザビームを現像トナーカートリッジ１５内の各感光ドラム１５Ａに照射する。定着ユニット１６は、現像トナーカートリッジ１５の下方を通過したシート９を加熱ローラ１６Ａと加圧ローラ１６Ｂとをより加熱加圧する。
【００２９】
上記構成である画像形成部本体１３は、以下のようにして、搬送経路Ｐ１に沿って搬送されるシート９に画像を形成する。すなわち、各感光ドラム１５Ａの表面は、その回転に伴って、帯電器により一様に正帯電された後、スキャナ部１４から照射されるレーザビームの高速走査により露光される。これにより、各感光ドラム１５Ａの表面には、シート９に形成すべき画像に対応した静電潜像が形成される。次に、トナー収容部からトナーが静電潜像に対応して各感光ドラム１５Ａの表面に供給され、それらの表面上に担持されたトナーがシート９に転写される。そして、トナーが転写されたシート９は定着ユニット１６で加熱加圧されて、トナーがシート９に定着する。その後、画像形成が完了したシート９は、排出空間３０に排出される。
【００３０】
このようにして画像形成機能を実現する画像形成部１０は、図２〜図４を示して後述するように、制御基板３００から制御を受けて動作する。この際、画像形成部１０を構成する駆動モータやセンサ等に対して、低圧電源部１００から制御基板３００を介して、低い電圧が供給される。また、画像形成部本体１３を構成する感光ドラム１５Ａや帯電器に対して、高圧電源部２００から高い電圧が供給される。低圧電源部１００、及び高圧電源部２００については、後述する。
【００３１】
＜画像読取部＞
図１に示すように、画像読取部２０は、いわゆるフラットベット方式のものであり、本体ハウジング６１の上面が開口されて、その開口がプラテンガラス２１によって塞がれている。プラテンガラス２１の上面は、画像を読み取られる原稿が載置される載置面２１Ａとされている。
【００３２】
プラテンガラス２１の下方には、読取部２２が収容されている。読取部２２としては、密着型イメージセンサ（ＣＩＳ：Contact Image Sensor）やＣＣＤ（Charge Coupled Device）等の周知の画像読取センサを採用できる。読取部２２は、図示しないスライド機構により左右方向、すなわち、図１の紙面に対して垂直な方向に進退可能とされている。
【００３３】
上記構成である画像読取部２０では、載置面２１Ａに原稿が載置され、操作部５０を介して読み取り開始の指示があると、載置面２１Ａの下側で、読取部２２が原稿の画像の一部を前後方向に長いライン状（主走査方向）に読み取りながら、左右方向（副走査方向）に移動する。こうして、画像読取部２０は、原稿の画像の全体を読み取ることができる。また、この画像読取部２０では、自動原稿搬送機構４０により、複数枚の原稿を１枚ずつ搬送して、所定の位置に停止した読取部２２の上方を通過させることにより、複数枚の原稿を自動的に読み取ることもできる。
【００３４】
このようにして画像読取機能を実現する画像読取部２０及び自動原稿搬送機構４０は、図２〜図４を示して後述するように、制御基板３００から制御を受けて動作する。この際、画像読取部２０や自動原稿搬送機構４０を構成する駆動モータやセンサ等に対して、低圧電源部１００から制御基板３００を介して、低い電圧が供給される。
【００３５】
＜複合機の電気的構成＞
図１〜図３に示すように、複合機１は、統合基板１５０と、統合基板１５０を収容するエンクロージャ１８０と、高圧電源部２００と、制御基板３００とを備える。
【００３６】
統合基板１５０及びエンクロージャ１８０は、本体ハウジング６１内の底面側に配設されている。統合基板１５０及びエンクロージャ１８０は、供給カセット１１の後部側の上方に位置して、略水平に延在している。エンクロージャ１８０は、統合基板１５０を収容する内部空間を有する略箱状体であり、本体ハウジング６１内に設けられた図示しないフレーム部材に支持されている。エンクロージャ１８０は、少なくとも耐火性を有するものであり、例えば、難燃性樹脂の射出成形品や、パンチングメタル等の金属板材が折り曲げ加工されてなる略箱状体等を採用できる。後者の場合、耐火性に加え、電磁波遮蔽性も有する。エンクロージャ１８０が耐火性を有することにより、低圧電源部１００又は通信回路部１３０が稀に発火した場合であっても、装置全体に悪影響が及ぶことを防止できる。
【００３７】
統合基板１５０及びエンクロージャ１８０の左端側は、本体ハウジング６１の左壁６１Ｌ近くまで延在している。また、統合基板１５０及びエンクロージャ１８０の右端側は、本体ハウジング６１の右壁６１Ｒ近くまで延在している。
【００３８】
高圧電源部２００は、本体ハウジング６１内において左壁６１Ｌに沿うように配設されている。高圧電源部２００は、本体ハウジング６１内に設けられた図示しないフレーム部材に支持されて、統合基板１５０及びエンクロージャ１８０より上方、かつ画像形成部本体１３より左方に位置している。高圧電源部２００は、ワイヤハーネス２００Ｗを介して、統合基板１５０と接続されている。
【００３９】
制御基板３００は、本体ハウジング６１内において右壁６１Ｒに沿うように配設されている。制御基板３００は、本体ハウジング６１内に設けられた図示しないフレーム部材に支持されて、統合基板１５０及びエンクロージャ１８０より上方、かつ画像形成部本体１３より右方に位置している。制御基板３００は、ワイヤハーネス３００Ｗを介して、統合基板１５０と接続されている。
【００４０】
図３に示すように、本体ハウジング６１の背面において、左側には電源コネクタ１２９が設けられ、右側には回線コネクタ１４９が設けられている。電源コネクタ１２９は、統合基板１５０の左端側に位置し、回線コネクタ１４９は統合基板１５０の右端側に位置している。そして、図４に示すように、電源コネクタ１２９は、１００Ｖの交流である交流電源Ｐ１（例えば、家庭用コンセント）に接続される。回線コネクタ１４９は、電話回線又はイーサネット（登録商標）等である電話回線Ｌ１を介して、電話機、ＦＡＸ、電子計算機、通信処理装置又は交換機等の外部機器に接続される。
【００４１】
図３及び図４に示すように、統合基板１５０上には、左側に位置する低圧電源部１００と、右側に位置する通信回路部１３０とが設けられている。
【００４２】
＜低圧電源部＞
低圧電源部１００は、周知の構成を備えるものであるので図示及び説明は簡略するが、図４に示すように、交流電源Ｐ１から電源コネクタ１２９を介して給電される高い電圧（１００Ｖ）の交流を整流平滑回路１０１、スイッチング回路１０２、高周波トランス１０３、整流平滑回路１０４及び制御回路１０５により、低い電圧（例えば、＋２４Ｖ又は＋５Ｖ）に変換する。高い電圧が供給される整流平滑回路１０１側が低圧電源部１００の一次側１００Ａであり、低い電圧を出力する整流平滑回路１０４側が低圧電源部１００の二次側１００Ｂである。
【００４３】
低圧電源部１００の二次側１００Ｂは、統合基板１５０上の電気配線パターン１００Ｃを介して、通信回路部１３０に接続されている。また、低圧電源部１００の二次側１００Ｂは、ワイヤハーネス２００Ｗを介して、高圧電源部２００の一次側２００Ａに接続されている。さらに、低圧電源部１００の二次側１００Ｂは、ワイヤハーネス３００Ｗを介して、制御基板３００に接続されている。これにより、低圧電源部１００は、通信回路部１３０、高圧電源部２００及び制御基板３００に対し、交流電源Ｐ１からの電圧よりも低い電圧を供給する。なお、ワイヤハーネス３００Ｗは、低圧電源部１００と制御基板３００とを接続する電気配線と、制御回路部１３０と制御基板３００とを接続する複数本の電気配線とから構成されている。
【００４４】
＜通信回路部＞
通信回路部１３０は、周知の構成を備えるものであるので図示及び説明は簡略するが、入出力インターフェース回路１３１、起動リレー１３２、トランス１３３、信号増幅回路１３４及び入出力切替リレー１３５により、電話回線Ｌ１を通じて、外部機器と通話やデータの送受信を行う。回線コネクタ１４９と接続される入出力インターフェース回路１３１側が通信回路部１３０の電話回線側１３０Ａであり、ワイヤハーネス３００Ｗを介して制御基板３００に接続される信号増幅回路１３４側が通信回路部１３０の本体側１３０Ｂである。通信回路部１３０の本体側１３０Ｂは、低圧電源部１００の二次側１００Ｂと統合基板１５０上で隣接し、かつ電気配線パターン１００Ｃを介して接続されている。
【００４５】
＜高圧電源部＞
高圧電源部２００は、周知の構成を備えるものであるので図示及び説明は簡略するが、ワイヤハーネス２００Ｗを介して、低圧電源部１００の二次側１００Ｂから供給される電圧を図示しない昇圧回路により昇圧し、交流電源Ｐ１からの電圧よりも高い電圧を画像形成部本体１３の感光ドラム１５Ａや帯電器等に供給する。低圧電源部１００の二次側１００Ｂから電圧が供給される側が高圧電源部２００の一次側２００Ａであり、感光ドラム１５Ａ等に高い電圧を供給する側が高圧電源部２００の二次側２００Ｂである。
【００４６】
高圧電源部２００は、低圧電源部１００の一次側１００Ａと近接しており、低圧電源部１００の二次側１００Ｂ及び通信回路部１３０に対して遠ざけられている。
【００４７】
＜制御基板＞
制御基板３００は、周知の構成を備えるものであるので図示及び説明は簡略するが、ワイヤハーネス３００Ｗを介して、低圧電源部１００の二次側１００Ｂから電圧が供給されて、画像形成部１０、画像読取部２０及び自動原稿搬送機構４０を構成する駆動モータやセンサ等や制御部５０を制御することにより、画像形成機能及び画像読取機能を制御する。
【００４８】
また、制御基板３００は周知のモデムにより、通信回路部１３０から伝達される情報を変換し、画像データとして画像形成部１０に伝達したり、画像読取部２０が読み取った原稿の画像情報を変換し、通信回路部１３０、回線コネクタ１４９及び電話回線Ｌ１を介して外部機器に伝達したり、図示しない送受話器を使用して、通信回路部１３０及び電話回線Ｌ１を介した通話を実現する。こうして、制御基板３００は、通信機能も制御する。
【００４９】
制御基板３００は、低圧電源部１００の二次側１００Ｂと近接している。これにより、ワイヤハーネス３００Ｗを短くできるとともに、ワイヤハーネス３００Ｗの取り回しを簡素化できる。
【００５０】
＜作用効果＞
実施例１の複合機１によれば、低圧電源部１００と通信回路部１３０とが一つの統合基板１５０上に形成されることで、低圧電源部１００から通信回路部１３０に給電し易くなる。その結果、従来必要であった、電源基板と通信基板といった別々の専用基板を接続するためのワイヤハーネス等の部品を削減できる。
【００５１】
また、低圧電源部１００と通信回路部１３０とが別々の専用基板に形成されて各専用基板が別々のエンクロージャに収容される場合と比較して、エンクロージャの数を削減でき、製品コストの低廉化を実現できる。
【００５２】
さらに、別々の専用基板を採用する場合と比較して、統合基板１５０を採用する方が設置スペースを小さくでき、また、別々の専用基板を接続するためのワイヤハーネスも不要となって、そのワイヤハーネスのための設置スペースを確保しなくてもよいので、装置全体の小型化を実現できる。
【００５３】
したがって、実施例１の複合機１によれば、製品コストの低廉化及び小型化を実現できる。
【００５４】
また、この複合機１においては、低圧電源部１００の二次側１００Ｂと通信回路部１３０の本体側１３０Ｂとは、統合基板１５０上で隣接している。この構成により、統合基板１５０上で低圧電源部１００の二次側１００Ｂと通信回路部１３０の本体側１３０Ｂとを接続する電気配線パターン１００Ｃの長さを短くできるので、統合基板１５０を小型化し易い。
【００５５】
また、この複合機１においては、低圧電源部１００の電源コネクタ１２９は、統合基板１５０の左端側、すなわち、本体ハウジングの左壁６１Ｌ側に配設されている。その一方、通信回路部１３０の回線コネクタ１４９は、統合基板１５０の右端側、すなわち、本体ハウジングの右壁６１Ｒ側に配設されている。この構成により、回線コネクタ１４９に対して、電源コネクタ１２９を遠ざけることができる。その結果、交流電源Ｐ１から低圧電源部１００の一次側１００Ａに供給される電圧によって、通信回路部１３０でノイズが発生することを抑制できる。
【００５６】
さらに、この複合機１においては、統合基板１５０は、本体ハウジング６１の底面側に配設されている。そして、高圧電源部２００と制御基板３００とは、高圧電源部２００が低圧電源部１００の一次側１００Ａと近接し、かつ制御基板３００が低圧電源部１００の二次側１００Ｂと近接するように、本体ハウジング６１の左壁６１Ｌと右壁６１Ｒとにそれぞれ配設されている。この構成により、低圧電源部１００の二次側１００Ｂ及び通信回路部１３０に対して、高圧電源部２００を遠ざけることができるので、高圧電源部２００からのノイズの影響を受け難くすることができ、低圧電源部１００の二次側１００Ｂ及び通信回路部１３０でノイズが発生することを抑制できる。さらに、統合基板１５０が本体ハウジング６１の底面側に配設され、高圧電源部２００と制御基板３００とが左壁６１Ｌと右壁６１Ｒとにそれぞれ配設されるレイアウトにより、図２に示すように、本体ハウジング６１の中央に画像形成部本体１３等の設置スペースを確保し易くなる。
【００５７】
（実施例２）
図５に示すように、実施例２の複合機は、実施例１の複合機１における回線コネクタ１４９の位置を左壁６１Ｌにおける電源コネクタ１２９の近傍に移動し、統合基板１５０上の低圧電源部１００及び通信回線部１３０のレイアウトを変更したものである。実施例２の複合機のその他の構成は、実施例１の複合機と同様である。このため、実施例１と同一の構成については同一の符号を付して説明を省略又は簡略する。
【００５８】
実施例２の複合機では、低圧電源部１００の一次側１００Ａは統合基板１５０上の左方の電源コネクタ１２９近傍に位置し、低圧電源部１００の二次側１００Ｂは統合基板１５０上の右方に位置している。また、通信回線部１３０の電話回線側１３０Ａは電源コネクタ１２９及び回線コネクタ１４９の近傍に位置し、通信回線部１３０の本体側１３０Ｂは統合基板１５０上の左方に位置している。
【００５９】
このような構成である実施例２の複合機も、エンクロージャの数を削減でき、また、低圧電源部１００と通信回路部１３０とを接続するワイヤハーネス等も不要となるので、部品点数を削減できる。また、統合基板１５０の設置スペースを小さくでき、また、別々の専用基板を接続するワイヤハーネスのための設置スペースを確保しなくてもよいので、装置本体の小型化を実現できる。
【００６０】
したがって、実施例２の複合機によれば、実施例１の複合機と同様に、製品コストの低廉化及び小型化を実現できる。また、この複合機は、電源コネクタ１４９と回線コネクタ１２９とが接近しているので、電源コネクタ１４９に接続される電源ケーブルと回線コネクタ１２９に接続される電話回線Ｌ１とを束ねて取り回すことが容易になる。
【００６１】
以上において、本発明を実施例１、２に即して説明したが、本発明は上記実施例１、２に制限されるものではなく、その趣旨を逸脱しない範囲で適宜変更して適用できることはいうまでもない。
【産業上の利用可能性】
【００６２】
本発明は複合機に利用可能である。
【符号の説明】
【００６３】
１…複合機、６１…筐体（本体ハウジング）、Ｌ１…電話回線、Ｐ１…交流電源
１０…画像形成部、１５Ａ…像担持体（感光ドラム）、９…シート
１００…低圧電源部、１００Ａ…低圧電源部の一次側、１００Ｂ…低圧電源部の二次側
１３０…通信回路部、１３０Ａ…通信回路部の電話回線側、１３０Ｂ…通信回路部の本体側
１５０…統合基板、１８０…エンクロージャ、３００…制御基板
１２９…低圧電源部の一次側における交流電源との接続部（電源コネクタ）
１４９…通信回路部の電話回線側における外部機器との接続部（回線コネクタ）
２００…高圧電源部、２００Ａ…高圧電源部の一次側、２００Ｂ…高圧電源部の二次側
６１Ｌ、６１Ｒ…筐体の互いに対向する側壁（６１Ｌ…本体ハウジングの左壁、６１Ｒ…本体ハウジングの右壁）
【図１】
0005803297.tif 000002
【図２】
0005803297.tif 000003
【図３】
0005803297.tif 000004
【図４】
0005803297.tif 000005
【図５】
0005803297.tif 000006